(57)【要約】【課題】テープ及びメモリーカードの２つの記録媒体に音声記録サンプル周波数が異なる音声データを記録再生する装置において、クロック生成部を共用化することにより、大幅な回路構成の簡素化が可能な音声データ記録再生装置を提供することを目的とする。【解決手段】メモリーカード１２に記録時、制御部１７はクロック生成部１６と第２の音声データ処理部１４に３２ＫＨｚもしくは４８ＫＨｚの周波数を示す周波数情報を送出し、第２の音声データ処理部１４は前記周波数情報より、３２ＫＨｚもしくは４８ＫＨｚから８ＫＨｚにデジタル音声データをリサンプルし、エンコード等の記録処理を行いメモリーカード１２に記録する。【選択図】　図１
2004023598.tif 000002
【特許請求の範囲】
【請求項１】
第１及び第２の記録媒体を有し、かつ前記第１の記録媒体への音声記録再生サンプリング周波数と前記第２の記録媒体への音声記録再生サンプリング周波数とが異なる音声データ記録再生装置であって、前記第１の記録媒体に記録再生される音声データを処理する第１の音声データ処理手段と、前記第２の記録媒体に記録再生される音声データを処理する第２の音声データ処理手段と、前記第１の記録媒体への音声記録再生サンプリング周波数に対応したクロックを生成するクロック生成手段を有し、前記第２の音声データ処理手段は前記クロック生成手段のクロックを用いるように構成したことを特徴とする音声データ記録再生装置。
【請求項２】
第１の記録媒体への音声記録再生サンプリング周波数が第２の記録媒体への音声記録再生サンプリング周波数の整数倍としたことを特徴とする請求項１記載の音声データ記録再生装置。
【発明の詳細な説明】
【０００１】
【発明の属する技術分野】
本発明は、各種マルチメディアに対応したビデオカメラに用いて有効な音声データ記録再生装置に関するものである。
【０００２】
【従来の技術】
近年、デジタル方式のビデオカメラは小型軽量化が進み、携帯性も優れてきた。そのような中、ビデオカメラ特有の携帯性を使った数々の付加機能や使用法などが市場から要望されている。例えば、ビデオカメラにメモリーカードを装着できるスロットを設け、書き換え可能なメモリーカードを着脱可能にし、そのメモリーカードにビデオカメラで撮影された映像及び音声を記録できるようなものが知られており、いつでもどこでも撮影した映像を見ることができる。このような構成として例えば特開平２−１８２０８５号公報や特開平１１−３３１６５６号公報のようなものがある。
【０００３】
以下、従来の音声データ記録再生装置について図面を用いて説明する。なお、テープ記録時の音声サンプリング周波数とメモリーカード記録時の音声サンプリング周波数は異なるものとする。
【０００４】
図５は従来の音声データ記録再生装置の構成を示すブロック図である。図において、１はデジタルの映像・音声データが記録される記録媒体であるテープ、２はフラッシュメモリーなどの半導体メモリーに代表される記録媒体であるメモリーカードで、デジタルの映像・音声データが記録される。３はテープ１にデジタル音声データを記録再生する為の信号処理を施す第１の音声データ処理部、４はメモリーカード２にデジタル音声データを記録再生する為の信号処理を施す第２の音声データ処理部、７はテープ１に対してアナログ音声をデジタル音声データにあるいはデジタル音声データをアナログ音声に変換する処理部（以下ＡＤ／ＤＡ変換部と称する。）で第１のＡＤ／ＤＡ変換部、８はメモリーカード２への第２のＡＤ／ＤＡ変換部、５は第１の音声データ処理部３及び第１のＡＤ／ＤＡ変換部７用のクロックを生成する第１のクロック生成部、６は第２の音声データ処理部４及び第２のＡＤ／ＤＡ変換部８用のクロックを生成する第２のクロック生成部、９は第１のＡＤ／ＤＡ変換部７もしくは第２のＡＤ／ＤＡ変換部８のいずれかを選択するスイッチ、１０はアナログ音声を外部に出力もしくは外部からのアナログ音声を入力する音声入出力部である。
【０００５】
以上のように構成された従来の音声データ記録再生装置について、以下その動作について説明する。
【０００６】
まず、再生時について説明する。テープ１から再生されたデジタル音声データは、第１の音声データ処理部３へ入力され、信号のデコードなどの各種音声データ処理を行う。ここで、デジタル音声データを再生するためにクロックが必要になるが、このクロックは第１のクロック生成部５で生成され、第１の音声データ処理部３に入力される。第１の音声データ処理部３から出力されたデジタル音声データは、第１のＡＤ／ＤＡ変換部７でデジタル音声データをアナログ音声に変換する。この時のクロックは第１の音声データ処理部３で用いるクロックと同一クロックで、第１のクロック生成部５から供給される。第１のＡＤ／ＤＡ変換部７で処理されたアナログ音声はスイッチ９の端子Ａ側を介して音声入出力部１０に入力され外部へ出力される。
【０００７】
次に、メモリーカード２から再生されたデジタル音声データは、第２の音声データ処理部４へ入力され、デコードなどの各種再生データ処理を行う。ここで、デジタル音声データを再生するためのクロックは第２のクロック生成部６で生成され、第２の音声データ処理部４に入力される。第２の音声データ処理部４から出力されたデジタル音声データは、第２のＡＤ／ＤＡ変換部８でデジタル音声データをアナログ音声に変換する。この時のクロックもテープ１時と同様で第２の音声データ処理部４で用いるクロックと同一クロックで、第２のクロック生成部６から供給される。第２のＡＤ／ＤＡ変換部８で処理されたアナログ音声はスイッチ９の端子Ｂ側を介して音声入出力部１０に入力され外部へ出力される。
【０００８】
次に記録時について説明する。
テープ１に記録時、音声入出力部１０から入力されたアナログ音声はスイッチ９の端子Ａを介して第１のＡＤ／ＤＡ変換部７にてアナログ音声をデジタル音声データに変換し、第１の音声データ処理部３にてエンコードなどの各種記録データ処理されテープ１に記録される。このときのクロックは再生時と同様に第１のクロック生成部５で生成される。
【０００９】
メモリーカード２記録時は、音声入出力部１０から入力されたアナログ音声はスイッチ９の端子Ｂを介して第２のＡＤ／ＤＡ変換部８にてアナログ音声をデジタル音声データに変換し、第２の音声データ処理部４にてエンコードなどの各種記録データ処理されメモリーカード２に記録される。このときのクロックは再生時と同様に第２のクロック生成部６で生成される。
【００１０】
【発明が解決しようとする課題】
しかしながら上記従来の構成では、テープ１とメモリーカード２に記録する音声サンプリング周波数が異なる為、テープ１にデジタル音声データを記録再生する際に必要なクロックを発生する第１のクロック生成部５と、メモリーカード２にデジタル音声データを記録再生する際に必要なクロックを発生する第２のクロック生成部６と２つのクロック生成手段を備えているため、回路構成が大型化するとともに、大幅なコストアップにつながってしまうという問題点が生じる。
【００１１】
本発明は上記従来の問題点に鑑み、テープに記録再生するデジタル音声データと、メモリーカードに記録再生するデジタル音声データとで、クロック生成手段を共用することにより、回路構成が小さくかつコストダウン可能な音声データ記録再生装置を提供することを目的とする。
【００１２】
【課題を解決するための手段】
上記目的を達成するために本発明の音声データ記録再生装置は、第１及び第２の記録媒体を有し、かつ前記第１の記録媒体への音声記録再生サンプリング周波数と前記第２の記録媒体への音声記録再生サンプリング周波数が異なる音声データ記録再生装置であって、前記第１の記録媒体に記録再生される音声データを処理する第１の音声データ処理手段と、前記第２の記録媒体に記録再生される音声データを処理する第２の音声データ処理手段と、前記第１の記録媒体への音声記録再生サンプリング周波数に対応したクロックを生成するクロック生成手段を有し、前記第２の音声データ処理手段は前記クロック生成手段のクロックを用いるように構成する。
【００１３】
このように、テープに記録再生するデジタル音声データと、メモリーカードに記録再生するデジタル音声データの各種処理手段に対して共通クロックを用いることによりクロック生成手段の共用化を行いかつ、ＡＤ／ＤＡも共用が可能となり、大幅な回路規模の縮小と大幅なコストダウンすることが可能な音声データ記録再生装置を提供することを目的とする。
【００１４】
【発明の実施の形態】
本発明の請求項１及び２に記載の発明は、第１及び第２の記録媒体を有し、かつ前記第１の記録媒体への音声記録再生サンプリング周波数と前記第２の記録媒体への音声記録再生サンプリング周波数が異なる音声データ記録再生装置であって、前記第１の記録媒体に記録再生される音声データを処理する第１の音声データ処理手段と、前記第２の記録媒体に記録再生される音声データを処理する第２の音声データ処理手段と、前記第１の記録媒体への音声記録再生サンプリング周波数に対応したクロックを生成するクロック生成手段を有し、前記第２の音声データ処理手段は前記クロック生成手段のクロックを用いるように構成する。
このような構成により、テープ記録再生時とメモリーカード記録再生時とでクロック生成手段を共用することで、回路構成を簡素化でき、コストダウンも実現できる。
【００１５】
以下、本発明の実施の形態について、図面を用いて説明する。
【００１６】
（実施の形態１）
図１は本発明の実施の形態における音声データ記録再生装置の構成を示すブロック図、図２は各制御信号の波形図である。なお、テープ１１への音声サンプリング周波数は４８ＫＨｚもしくは３２ＫＨｚで選択可能、メモリーカード１２への音声サンプリング周波数は８ＫＨｚである。
【００１７】
図において、１１は音声データが記録される第１の記録媒体であるテープで、本実施の形態ではデジタル信号で記録される。１２は音声データが記録される第２の記録媒体であるメモリーカードで、本実施の形態ではデジタル信号で記録される。１３はテープ１１に記録再生されるデジタル音声データをエンコード・デコードするなどの各種信号処理を行う第１の音声データ処理手段である第１の音声データ処理部。１４はメモリーカード１２に記録再生されるデジタル音声データをエンコード・デコードするなどの各種信号処理を行う第２の音声データ処理手段である第２の音声データ処理部である。
【００１８】
１５はテープ１１再生時に所定期間におけるデジタル音声データのサンプル数を計数し、計数データから記録された音声サンプリング周波数を検出するサンプリング周波数検出部で、制御部１７に検出情報として送出する。１６は第１または第２の音声データ処理部１３、１４及びＡＤ／ＤＡ変換部１９用のクロック生成手段であるクロック生成部で、ＰＬＬ回路などで構成される。１７は制御部であり、テープ１１及びメモリーカード１２への記録再生の制御等を行う。１８は切り替え手段であるスイッチであり、制御部１７から第２の記録再生情報により第１の音声データ処理部１３または第２の音声データ処理部１４のいずれかを選択する。１９は音声入出力部２０からのアナログ音声信号をデジタル音声信号に変換したり、スイッチ１８からのデジタル音声信号をアナログ音声信号に変換したりするＡＤ／ＤＡ変換部、２０はＡＤ／ＤＡ変換部１９の出力であるアナログ音声を外部へ出力、あるいは外部からのアナログ音声をＡＤ／ＤＡ変換部１９に出力する音声入出力手段である音声入出力部２０であり、制御部１７からの第１の記録再生情報にて記録時は入力、再生時は出力として制御される。
【００１９】
なお、特に図示していないが、本装置はテープ１１に対して信号の記録再生を行うテープモードと、メモリーカード１２に対して信号の記録再生を行うカードモードとに切り換え可能なスイッチを別途設けている。また、各々のモードにおいて、再生動作を行う際は再生ボタンを操作し、記録動作を行う際は記録ボタンを操作することで、信号の記録再生を操作することができる。以下、前述のモードを切り換えるスイッチや、記録再生を行う再生ボタン及び記録ボタンなどを、総称して操作手段とする。
【００２０】
以上のように構成された本実施の形態の音声データ記録再生装置について、以下その動作について説明する。
【００２１】
まず、再生時について説明を行う。操作手段（図示せず）を操作してテープ１１を再生する時、サンプリング周波数検出部１５はテープに記録されたオーディオＡＵＸ中のサンプリング周波数を検出し、制御部１７に対しテープ１１に記録されているサンプリング周波数情報を検出情報として送出する。図２（ｅ）のように３２ＫＨｚ時“０”、４８ＫＨｚ時は“１”とする。なお、サンプリング周波数検出部１５はテープ１１再生時のみ有効で他のモード時は“０”固定とする。
【００２２】
クロック生成部１６は制御部１７からの周波数情報（図２（ｄ）で３２ＫＨｚ時“０”、４８ＫＨｚ時は“１”）により、テープ１１のデジタル音声データに同期したクロックを生成し、第１の音声データ処理部１３及びＡＤ／ＤＡ変換部１９に出力する。第１の音声データ処理部１３は、クロック生成部１６からのクロックに基づき、テープ１１で再生されたデジタル音声データのデコード処理を行う。
【００２３】
第１の音声データ処理部１３から出力されたデジタル音声データはスイッチ１８に入力される。スイッチ１８は制御部１７からの第２の記録再生情報（図２（ｂ））が“０”時は端子Ａ側に、“１”の時は端子Ｂ側に接続するよう構成されている。第２の記録再生情報は、メモリーカード１２再生時のみ“１”となる信号である。よって、テープ１１再生時は第１の音声処理部１３からのデジタル音声データをＡＤ／ＤＡ変換部１９へ出力する。
【００２４】
ＡＤ／ＤＡ変換部１９はデジタル音声データをアナログ音声に変換して音声入出力部２０に出力し、音声入出力部２０は制御部１７からの第１の記録再生情報（図２（ａ））により再生時は出力として動作しアナログ音声を外部に出力する。
【００２５】
次に、メモリーカード１２の再生時であるが、メモリーカード１２への音声サンプリング周波数は上記に記述しているように８ＫＨｚ固定である。テープ１１時の音声サンプリング周波数４８ＫＨｚの１／６もしくは３２ＫＨｚの１／４である。本実施の形態ではメモリーカード１２再生時のクロック生成部１６は４８ＫＨｚに固定している。
【００２６】
操作手段を操作してメモリーカード１２の再生モードに移行すると、制御部１７は４８ＫＨｚの周波数情報（図２（ｄ））とメモリーカード１２の再生であることを示す第２の記録再生情報（図２（ｂ））をクロック生成部１６に送出し、クロック生成部１６は第２の記録再生情報（図２（ｂ））が「メモリーカード」でかつ周波数情報（図２（ｄ））が「４８ＫＨｚ」である場合は、４８ＫＨｚクロックを生成し、かつ１／６に分周して８ＫＨｚに対応したクロックを第２の音声データ処理部１４及びＡＤ／ＤＡ変換部１９に送出する。第２の音声データ処理部１４は、クロック生成部１６からのクロックに基づき、メモリーカード１２からのデジタル音声データの再生信号処理を行う。第２の音声データ処理部１４から出力されるデジタル音声データはスイッチ１８に入力される。スイッチ１８は制御部１７の第２の記録再生情報（図２（ｂ））によって端子Ｂ側へ接続されており、第２の音声データ処理部１４からのデジタル音声データをＡＤ／ＤＡ変換部１９へ入力しデジタル音声データをアナログ音声に変換して音声出力部２０に出力し、音声出力部２０から外部へ出力される。
【００２７】
次に記録時であるが、音声入出力部２０は制御部１７からの第１の記録再生情報（図２（ａ））により入力として動作し、ＡＤ／ＤＡ変換部１９は音声入出力部２０からのアナログ音声情報をデジタル音声データに変換処理する。ＡＤ／ＤＡ変換部１９からのデジタル音声データは、記録の対象がテープ１１及びメモリーカード１２とは無関係に第１の音声データ処理部１３、第２の音声データ処理部１４に入力される。テープ１１及びメモリーカード１２への記録の選択は、制御部１７からのメディア情報（図２（ｃ））により選択される。メディア情報が“０”時はテープ１１を選択してデジタル音声データをテープ１１に記録するよう制御し、“１”時はメモリーカード１２を選択してデジタル音声データをメモリーカード１２に記録するよう制御する。
【００２８】
テープ１１への記録は、制御部１７からの４８ＫＨｚもしくは３２ＫＨｚを示す周波数情報（図２（ｄ））と第２の記録再生情報（図２（ｂ））によりクロック生成部１６で生成されたクロックによりＡＤ／ＤＡ変換部１９でデジタル音声データとしスイッチ１８を介して第１の音声データ処理部１３でエンコードされテープ１１に記録される。
【００２９】
メモリーカード１２への記録は、前記にも記述したようにデジタル音声データは第１の音声データ処理部１３に入力されるデジタル音声データを用いる。つまり、デジタル音声データはテープ１１に記録する時の４８ＫＨｚもしくは３２ＫＨｚの音声サンプリング周波数であり、このデジタル音声データを第２の音声データ処理部１４にて８ＫＨｚにリサンプルしてメモリーカード１２に記録する。リサンプルについては別途詳細に述べる。
【００３０】
第２の音声データ処理部１４は、制御部１７からの３２ＫＨｚもしくは４８ＫＨｚの周波数を示す周波数情報（図２（ｄ））とメディア情報（図２（ｃ））と第１の記録再生情報（図２（ａ））により記録の条件を検出して、リサンプル処理を行いメモリーカード１２に記録する。
【００３１】
リサンプルについて、図３・４を用いて説明する。
【００３２】
図３は第２の音声データ処理部１４の詳細図、図４はリサンプル処理時のタイミングチャート波形図であり、ＬＲＣＫ・ＢＣＬＫはクロック生成部１６からのクロックでＬＲＣＫはステレオ時のＬＣＨ・ＲＣＨを示す信号でＬＣＨ“１”、ＲＣＨ“０”である。又、ＢＣＬＫはデジタル音声データ取り込む為のクロックである。
【００３３】
第２の音声データ処理部１４に入力されたデジタル音声データはクロック生成部１６からのＬＲＣＫ・ＢＣＬＫを用いて音声データ受信器３０に取り込まれリサンプル処理器３１にてリサンプル処理される。リサンプルは図４（ｄ）に示すように、４８ＫＨｚ時は入力データを６データ毎に１データを、具体的には図４（ｂ）（ｄ）の１〜１３の入力データを１、７、１３のみリサンプルする。３２ＫＨｚ時は入力データを４データ毎に１データを、図４（ｃ）のように１、５、９、１３のみリサンプルする。前記リサンプルにより４８ＫＨｚもしくは３２ＫＨｚの入力データを８ＫＨｚのデータに変換できる。
【００３４】
４８ＫＨｚもしくは３２ＫＨｚの検出は制御部１７からのメディア情報（図２（ｃ））・周波数情報（図２（ｄ））・第１の記録再生情報（図２（ａ））により制御器３４にて検出する。リサンプルされたデータはフィルター３２及びエンコーダー３３を介して記録処理される。
【００３５】
以上のように本実施の形態によれば、テープ１１とメモリーカード１２への記録再生に用いるクロック生成手段を共用することでき、かつＡＤ／ＤＡ変換手段も共用可能となり、大幅な回路構成の簡素化とコストダウンを実現することができる。
【００３６】
なお、本実施の形態において、図示で入力系と出力系とを独立した矢印で示したが、入力系と出力系とを単一の信号線で構成してもよい。
【００３７】
また、テープ１１の再生時、第１の音声データ処理部１３からスイッチ１８を介してＡＤ／ＤＡ変換部１９に入力された音声データを、そのまま第２の音声データ処理部１４に出力し、制御部１７が第２の音声データ処理部１４を動作させることで、テープ１１で再生した音声データをメモリーカード１２に記録することができる。
【００３８】
【発明の効果】
以上のように本発明によれば、テープ記録再生時とメモリーカード記録再生時とでクロック生成手段を共用することで、ＡＤ／ＤＡ変換手段も共用することが出来、回路構成を簡素化して大幅なコストダウンも実現できるという優れた効果を奏することができる。
【図面の簡単な説明】
【図１】本発明の実施形態である音声データ記録再生装置の構成を示すブロック図
【図２】同実施の形態における制御信号のタイミングチャート
【図３】同実施の形態における第２の音声処理部の内部構成を示すブロック図
【図４】同実施の形態におけるリサンプル処理時のタイミングチャート
【図５】従来の音声データ記録再生装置の構成を示すブロック図
【符号の説明】
１１　テープ
１２　メモリーカード
１３　第１の音声データ処理部
１４　第２の音声データ処理部
１５　サンプリング周波数検出部
１６　クロック生成部
１７　制御部
１８　スイッチ
１９　ＡＤ／ＤＡ変換部
２０　音声入出力部
【図１】
2004023598.tif 000003
【図２】
2004023598.tif 000004
【図３】
2004023598.tif 000005
【図４】
2004023598.tif 000006
【図５】
2004023598.tif 000007